(57)【要約】【課題】  装置制御ボックスの小型軽量化を実現したミシンの駆動装置を提供する。【解決手段】  テーブル６上にはミシン２や装置操作パネル７が配置されている。ミシン２の図示しない主軸にはミシンモータ８が連結されている。テーブル６下には、ミシン２の駆動装置３として、モータ制御ボックス４と装置制御ボックス５が配置されている。モータ制御ボックス４には、商用電源から供給される電圧を変圧・整流する電源回路１１と、電源回路１１から電圧が供給されミシンモータ８の駆動を制御するモータ制御回路１２が収容されている。装置制御ボックス５には、ミシン２に取り付けられる省力装置１６の駆動を制御する装置制御回路１４が収容されている。装置制御回路１４には電源回路１１から変圧・整流された電圧が供給される。【選択図】図２
2016059569.tif 000002
【特許請求の範囲】
【請求項１】
ミシンモータの駆動を制御するモータ制御ボックスとミシンに取り付けられる省力装置の駆動を制御する装置制御ボックスを有するミシンの駆動装置において、
前記モータ制御ボックスには、
商用電源から供給される電圧を変圧・整流する電源回路と、
前記電源回路から電圧が供給されミシンモータの駆動を制御するモータ制御回路が収容され、
前記装置制御ボックスには、
前記電源回路から変圧・整流された電圧が供給され省力装置の駆動を制御する装置制御回路が収容されていることを特徴とする、ミシンの駆動装置。
【請求項２】
前記モータ制御回路は主軸の回転角度および回転数を検出し、該回転数の回転信号をモータ制御回路から装置制御回路に供給することを特徴とする、請求項１に記載のミシンの駆動装置。
【発明の詳細な説明】
【技術分野】
【０００１】
本発明は、ミシンの駆動装置に関するもので、詳しくは、ミシンモータの駆動を制御するモータ制御ボックスとミシンに取り付けられる省力装置の駆動を制御する装置制御ボックスを有するミシンの駆動装置に関する。
本発明において省力装置とは、その駆動がミシンの駆動とは別に制御され、かつミシンの駆動には同期しない、ミシンに取り付けられる種々の装置のことをいう。
【背景技術】
【０００２】
この種のミシンの駆動装置として、商用電源からミシンモータや省力装置（例えば、糸切りメスなど）にそれぞれ電圧を供給するものが従来より知られている（例えば、特許文献１参照。）。図３および図４は特許文献１に開示されているような従来のミシンの駆動装置に関する。図３はミシンの駆動装置の概略構造を示す正面図で、図４はミシンの駆動装置における電気的構成を示すブロック図である。
【０００３】
図３に示すように、テーブル２４上にミシン２１が配置され、テーブル２４下にミシンモータ２６が配置されている。ミシン２１とミシンモータ２６はベルト２３により連結されている。ミシンモータ２６にはモータ制御ボックス２７が取り付けられている。モータ制御ボックス２７には電源回路４１とモータ制御回路２９が収容されている。モータ制御ボックス２７には商用電源１から電源プラグ３４と電源コード３５を介して電圧が供給される。モータ制御ボックス２７に供給された電圧は電源回路４１を通じてモータ制御回路２９に供給される。ミシンモータ２６はペダル３９を通じて操作され、モータ制御回路２９によって駆動が制御されている。また、図示しない主軸には主軸の回転角度を検出する位置検出器４０が設けられている。この位置検出器４０の回転信号Ｓ３がモータ制御回路２９に供給される。
【０００４】
また、ミシン２１には糸切りメスなどの省力装置２８（ソレノイド）が取り付けられている。テーブル２４上には装置操作パネル２５が配置され、テーブル２４下には装置制御ボックス３２が配置されている。装置制御ボックス３２には商用電源１から電源プラグ３６と電源コード３７を介して電圧が供給される。図４に示すように、省力装置２８は装置操作パネル２５を通じてパラメータが設定され、装置制御ボックス３２に収容されている装置制御回路３３（駆動回路および制御回路）によって駆動が制御されている。また、ミシン２１には主軸の回転数を検出する回転検出器３８が設けられている。この回転検出器３８の回転信号Ｓ２が装置制御回路３３に供給される。
【先行技術文献】
【特許文献】
【０００５】
【特許文献１】特開平５−３１７５６１号公報（第１図，第３図）
【発明の概要】
【発明が解決しようとする課題】
【０００６】
ところで、従来のミシンの駆動装置において、装置制御ボックス３２には商用電源１から供給される電圧を変圧する電源トランス３０と、電源トランス３０により変圧された電圧を整流する整流回路３１が収容されている。このため、装置制御ボックス３２が大きく重いものになってしまうという問題があった。
【０００７】
本発明は、上記問題を解決するためになされたものであり、その目的は、装置制御ボックスの小型軽量化を実現したミシンの駆動装置を提供することにある。
【課題を解決するための手段】
【０００８】
上記目的を達成するために、請求項１に記載の発明は、
ミシンモータの駆動を制御するモータ制御ボックスとミシンに取り付けられる省力装置の駆動を制御する装置制御ボックスを有するミシンの駆動装置において、
前記モータ制御ボックスには、
商用電源から供給される電圧を変圧・整流する電源回路と、
前記電源回路から電圧が供給されミシンモータの駆動を制御するモータ制御回路が収容され、
前記装置制御ボックスには、
前記電源回路から変圧・整流された電圧が供給され省力装置の駆動を制御する装置制御回路が収容されていることを特徴とする。
【０００９】
請求項２の発明は、請求項１のミシンの駆動装置において、
前記モータ制御回路は主軸の回転角度および回転数を検出し、該回転数の回転信号をモータ制御回路から装置制御回路に供給することを特徴とする。
【発明の効果】
【００１０】
本発明によれば、装置制御ボックスは電源トランスや整流回路を収容する必要がない。つまり、装置制御ボックスの小型軽量化および部品点数削減によるコストダウンを実現できる。
【図面の簡単な説明】
【００１１】
【図１】本発明のミシンの駆動装置における概略構造を表す正面図である。
【図２】本発明のミシンの駆動装置における電気的構成を示すブロック図である。
【図３】従来のミシンの駆動装置における概略構造を表す正面図である。
【図４】従来のミシンの駆動装置における電気的構成を示すブロック図である。
【発明を実施するための最良の形態】
【００１２】
以下、図面を参照して、本発明の実施形態におけるミシン２の駆動装置３について説明する。図１に示すように、テーブル６上にはミシン２や装置操作パネル７が配置されている。ミシン２の図示しない主軸にはミシンモータ８が連結されている。テーブル６下には、ミシン２の駆動装置３として、モータ制御ボックス４と装置制御ボックス５が配置されている。ミシンモータ８は図示しないコードによりモータ制御ボックス４と接続されている。装置操作パネル７は図示しないコードにより装置制御ボックス５と接続されている。
【００１３】
モータ制御ボックス４には商用電源１から電源プラグ９と電源コード１０を介して電圧が供給される。図２に示すように、モータ制御ボックス４は内部に電源回路１１とモータ制御回路１２を収容している。商用電源１からモータ制御ボックス４に供給された電圧は、電源回路１１により降圧・整流されたのちモータ制御回路１２に供給される。そして、ミシンモータ８はペダル１３を通じて操作され、モータ制御回路１２によって駆動が制御される。
【００１４】
図２に示すように、装置制御ボックス５は内部に装置制御回路１４を収容している。装置制御ボックス５は中継コード１５を介してモータ制御ボックス４と接続されている。装置制御ボックス５の装置制御回路１４には、商用電源１からモータ制御ボックス４に供給され電源回路１１により降圧・整流された電圧が中継コード１５を通じて供給される。ミシン２に取り付けられる省力装置１６は、装置操作パネル７を通じて種々のパラメータが設定され、設定されたパラメータに基き装置制御回路１４によって駆動が制御される。
【００１５】
上述したように、本実施例のミシン２の駆動装置３であれば、商用電源１からモータ制御ボックス４に供給され電源回路１１により降圧・整流された電圧が、モータ制御回路１２と装置制御回路１４の両方に供給されているので、図３，図４で示す従来例のような電源トランスや整流回路を装置制御ボックスに収容する必要がない。
【００１６】
また、本実施例のミシン２の駆動装置３においては、モータ制御回路１２は図示しない主軸の回転角度を検出するようになっている。さらに、モータ制御回路１２は主軸の回転数を検出し、その回転信号Ｓ１をモータ制御回路１２から装置制御回路１４に供給するようになっている。したがって、本実施例のミシン２の駆動装置３においては、図３，図４で示す従来例のような位置検出器や回転検出器を省略できる。
【００１７】
なお、本発明は以上説明した実施例に限定されるものではなく、例えば、ミシンモータはミシンの主軸に直接連結されていたが、従来例のようにテーブル下に配置されたものでもよい。これは、本発明の趣旨を逸脱しないものであり、上記実施例と同様の効果を奏するものである。
【符号の説明】
【００１８】
１                商用電源
３                駆動装置
４                モータ制御ボックス
５                装置制御ボックス
７                装置操作パネル
８                ミシンモータ
１１              電源回路
１２              モータ制御回路
１４              装置制御回路
１６              省力装置
【図１】
2016059569.tif 000003
【図２】
2016059569.tif 000004
【図３】
2016059569.tif 000005
【図４】
2016059569.tif 000006